(57)【要約】【課題】電子機器での、通信回路による不要な電力消費を削減する。【解決手段】ソース機器２と通信ケーブル４により接続されて通信するシンク機器３は、通信ケーブル４が取外可能に接続されるシンク接続部１１と、シンク接続部１１に接続されてソース機器２との間で信号を授受するシンクＲｘＩＣ１２を含む複数の電子部品１２〜１３と、シンク電源回路１４と、を有する。シンクＲｘＩＣ１２は、シンク接続部１１を通じて通信ケーブル４から給電される。それ以外の電子部品１３は、シンク電源回路１４から給電される。【選択図】  図１
2013157832.tif 000002
【特許請求の範囲】
【請求項１】
他の電子機器と通信ケーブルにより接続されて通信する電子機器であって、
前記通信ケーブルが取外可能に接続される接続部と、
前記接続部に接続されて前記他の電子機器との間で信号を授受する通信回路を含む複数の電子部品と、
電源回路と、
を有し、
前記通信回路は、前記接続部を通じて前記通信ケーブルから給電され、
前記通信回路以外の電子部品は、前記電源回路から給電される、
電子機器。
【請求項２】
前記通信回路は、前記通信ケーブルから給電される電力により起動する
請求項１記載の電子機器。
【請求項３】
前記電子部品は、前記電源回路から給電されるマイクロコンピュータを含み、
前記通信ケーブルから前記接続部への電力供給が検出された後、前記マイクロコンピュータは、該電力を前記通信回路へ供給させる制御を実行する
請求項１または２記載の電子機器。
【請求項４】
前記電子部品は、前記接続部および前記電源回路と前記通信回路との間に接続された切替回路を含み、
前記マイクロコンピュータは、
前記通信ケーブルから前記接続部への電力供給が検出された後、前記切替回路に、前記接続部および前記電源回路の中の前記接続部を選択させ、前記通信ケーブルから給電される電力を前記通信回路へ供給する
請求項３記載の電子機器。
【請求項５】
前記マイクロコンピュータは、
前記通信ケーブルから前記接続部への電力供給を検出した場合、前記切替回路に前記電源回路を選択させて、前記通信回路を起動させ、
起動された前記通信回路による、前記通信ケーブルを通じた前記通信回路への電力供給の認証処理が完了した場合、前記切替回路に前記接続部を選択させて、起動された前記通信回路を、前記通信ケーブルから給電される電力で動作させる
請求項４記載の電子機器。
【請求項６】
前記マイクロコンピュータは、
前記通信ケーブルから前記接続部への電力供給を検出した場合、前記通信ケーブルを通じた前記通信回路への電力供給の認証処理を実行し、
前記認証処理が完了した場合、前記切替回路に前記接続部を選択させて、前記通信回路を、前記通信ケーブルから給電される電力で起動させる
請求項４記載の電子機器。
【請求項７】
前記認証処理において、前記通信回路への電力供給が可能な他の電子機器と該電子機器とが、前記通信ケーブルにより直接に接続されているか否かを確認する
請求項５または６記載の電子機器。
【請求項８】
他の電子機器と通信ケーブルにより接続されて通信する電子機器の電源供給方法であって、
前記通信ケーブルを通じて前記他の電子機器との間で信号を授受する通信回路は、前記通信ケーブルから給電し、
前記通信回路以外の前記電子機器の電子部品は、前記電子機器が備える電源回路から給電する、
電子機器の電源供給方法。
【請求項９】
他の電子機器と通信ケーブルを通じて信号を授受する通信回路、およびプログラムを実行するマイクロコンピュータを含む複数の電子部品と、前記複数の電子部品に給電可能な電源回路と、を有する電子機器において、前記マイクロコンピュータにより実行されるプログラムであって、
前記通信回路を、前記接続部を通じて前記通信ケーブルから給電し、前記通信回路以外の電子部品を、前記電源回路から給電するように、前記マイクロコンピュータに給電制御を実行させる、
プログラム。
【請求項１０】
他の電子機器と通信ケーブルを通じて信号を授受する通信回路、およびプログラムを実行するマイクロコンピュータを含む複数の電子部品と、前記複数の電子部品に給電可能な電源回路と、を有する電子機器において、前記マイクロコンピュータにより実行されるプログラムを記録した記録媒体であって、
前記通信回路を、前記接続部を通じて前記通信ケーブルから給電し、前記通信回路以外の電子部品を、前記電源回路から給電するように、前記マイクロコンピュータに給電制御を実行させる、
コンピュータ読取可能なプログラムを記録した記録媒体。
【発明の詳細な説明】
【技術分野】
【０００１】
本発明は、電子機器、その電源供給方法、プログラム、および記録媒体に関する。
【背景技術】
【０００２】
電子機器には、他の電子機器と通信ケーブルにより接続されて通信するものがある（非特許文献１）。
【先行技術文献】
【特許文献】
【０００３】
【非特許文献１】High Definition Multimedia Interface Specification Version 1.2a Supplement 1 Consumer Electronics Control (CEC), December 14 2005
【発明の概要】
【発明が解決しようとする課題】
【０００４】
しかし、このような通信機能を有する電子機器では、通信を実行する通信回路は、電子機器の他の電子部品と同様に、電子機器の電源回路から電力が供給され続ける。
通信回路は、何時通信がなされるか不明であるため、常に起動している必要がある。
よって、実際には通信が利用されていない状況でも、通信回路が起動され続け、電子機器において電力が不要に消費されてしまう。
また、通信ケーブルが接続されていない状況でも、電子機器において電力が不要に消費されてしまう。
【０００５】
このように電子機器では、通信回路による不要な電力消費を削減することが求められている。
【課題を解決するための手段】
【０００６】
請求項１に係る発明は、他の電子機器と通信ケーブルにより接続されて通信する電子機器であって、通信ケーブルが取外可能に接続される接続部と、接続部に接続されて他の電子機器との間で信号を授受する通信回路を含む複数の電子部品と、電源回路と、を有し、通信回路は、接続部を通じて通信ケーブルから給電され、通信回路以外の電子部品は、電源回路から給電される、電子機器である。
【０００７】
請求項８に係る発明は、他の電子機器と通信ケーブルにより接続されて通信する電子機器の電源供給方法であって、通信ケーブルを通じて他の電子機器との間で信号を授受する通信回路は、通信ケーブルから給電し、通信回路以外の電子機器の電子部品は、電子機器が備える電源回路から給電する、電子機器の電源供給方法である。
【０００８】
請求項９に係る発明は、他の電子機器と通信ケーブルを通じて信号を授受する通信回路、およびプログラムを実行するマイクロコンピュータを含む複数の電子部品と、複数の電子部品に給電可能な電源回路と、を有する電子機器において、マイクロコンピュータにより実行されるプログラムであって、通信回路を、接続部を通じて通信ケーブルから給電し、通信回路以外の電子部品を、電源回路から給電するように、マイクロコンピュータに給電制御を実行させる、プログラムである。
【０００９】
請求項１０に係る発明は、他の電子機器と通信ケーブルを通じて信号を授受する通信回路、およびプログラムを実行するマイクロコンピュータを含む複数の電子部品と、複数の電子部品に給電可能な電源回路と、を有する電子機器において、マイクロコンピュータにより実行されるプログラムを記録した記録媒体であって、通信回路を、接続部を通じて通信ケーブルから給電し、通信回路以外の電子部品を、電源回路から給電するように、マイクロコンピュータに給電制御を実行させる、コンピュータ読取可能なプログラムを記録した記録媒体である。
【図面の簡単な説明】
【００１０】
【図１】図１は、本発明の第１実施形態に係る電子機器としてのシンク機器を含む、再生システムの接続関係を示す概略構成図である。
【図２】図２は、図１の再生システムの電力供給処理を示すフローチャートである。
【図３】図３は、第１比較例に係る電子機器としてのシンク機器を含む、再生システムの接続関係を示す概略構成図である。
【図４】図４は、図３の再生システムの電力供給処理を示すフローチャートである。
【図５】図５は、第２比較例に係る電子機器としてのシンク機器を含む、再生システムの接続関係を示す概略構成図である。
【図６】図６は、図５の再生システムの電力供給処理を示すフローチャートである。
【図７】図７は、第２実施形態に係る電子機器としてのシンク機器を含む、再生システムの接続関係を示す概略構成図である。
【図８】図８は、図７の再生システムの電力供給処理を示すフローチャートである。
【図９】図９は、第３実施形態に係る電子機器としてのシンク機器を含む、再生システムの接続関係を示す概略構成図である。
【図１０】図１０は、図９の再生システムの電力供給処理を示すフローチャートである。
【図１１】図１１は、ＡＶシステムにおける、複数のＡＶ機器の接続例の説明図である。
【発明を実施するための形態】
【００１１】
以下、本発明の実施形態を、図面に基づいて説明する。
【００１２】
［第１実施形態］
図１は、本発明の第１実施形態に係る電子機器としてのシンク機器３を含む、再生システム１の接続関係を示す概略構成図である。
図１の再生システム１は、ソース機器２とシンク機器３とが通信ケーブル４で接続されており、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に基づいてソース機器２とシンク機器３とが通信する。
【００１３】
ＨＤＭＩにおいて、ソース機器２と接続されるシンク機器３内のシンクＲｘＩＣ（ＨＤＭＩ受信側集積回路）１２は、一般的にシンク機器３自体の電源回路から給電される。この場合、ＨＤＭＩで接続されていない場合や通信不要な場合にも、シンク機器３の電源回路からシンクＲｘＩＣ１２へ電力が供給され続ける。通信が不要な状況において、シンクＲｘＩＣ１２により電力が消費される。
ところで、ＨＤＭＩにおいて、ソース機器２は、通信ケーブル４の「＋５Ｖ  Ｐｏｗｅｒピン（端子）」を通じてシンク機器３へ電力を送ることが可能である。
そこで、このＨＤＭＩの通信ケーブル４を介して送られる＋５Ｖ信号をシンクＲｘＩＣ１２の電源とすることで、シンクＲｘＩＣ１２の通信が不要な状況下では、シンクＲｘＩＣ１２への電源供給が行われないようにすることができる。使用されないシンクＲｘＩＣ１２による不要な電力消費を削減できる。
本実施形態は、この仕組みにより、シンクＲｘＩＣ１２による不要な電力消費を削減するものである。
【００１４】
図１のＨＤＭＩの再生システム１において、ソース機器２は、再生装置などである。
シンク機器３は、たとえば表示デバイス、スピーカなどを有する出力装置である。
図１において、ソース機器２と、シンク機器３とは、ＨＤＭＩケーブル４により直接に接続される。
そして、ソース機器２は、ＨＤＭＩ規格の信号により、たとえば映像データまたは音声データを送信する。
シンク機器３は、ソース機器２から送信された信号を受信し、受信信号に含まれるたとえば映像データまたは音声データをデコードし、映像または音声を表示デバイスまたはスピーカで再生する。
【００１５】
なお、ＨＤＭＩの再生システム１では、ソース機器２とシンク機器３とは、１対１に接続できるだけでなく、１対多または多対多に接続できる。
このため、１つの再生システム１には、ソース機器２およびシンク機器３が、複数組で接続可能である。
そして、ＨＤＭＩの再生システム１において、各組の電子機器は、ＣＥＣ（Ｃｏｎｓｕｍｅｒ  Ｅｌｅｃｔｒｏｎｉｃｓ  Ｃｏｎｔｒｏｌ）通信により、各組で規格化された固有の通信を実行できる。
ソース機器２またはシンク機器３は、各々の組に固有の規格の通信を実行することにより、再生システム１中に他の規格の組の機器が含まれていたとしても、自己の規格に対応する相手機器の存在を特定し、その相手機器との間で通信することができる。
【００１６】
シンク機器３は、図１に示すように、シンク接続部１１、シンクＲｘＩＣ１２、シンクマイクロコンピュータ１３、シンク電源回路１４を有する。
【００１７】
シンク接続部１１は、コネクタを有し、ＨＤＭＩの通信ケーブル４が取外可能に接続される。
【００１８】
シンクＲｘＩＣ１２は、シンク接続部１１に接続される。通信ケーブル４により接続された相手方であるソース機器２との間で、ＨＤＭＩ規格に基づく通信を実行する。ＨＤＭＩ規格に基づく通信には、たとえばＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）による再生信号の送受信や、ＣＥＣ通信などがある。
【００１９】
シンクマイクロコンピュータ１３は、ＣＰＵ（Ｃｅｎｔｒａｌ  Ｐｒｏｃｅｓｓｉｎｇ  Ｕｎｉｔ）を有する。
シンクマイクロコンピュータ１３は、たとえば機器の内部バスによりシンクＲｘＩＣ１２と接続される。
シンクマイクロコンピュータ１３は、シンク機器３の動作を制御し、必要に応じてシンクＲｘＩＣ１２を用いて、ソース機器２と通信する。
なお、シンクマイクロコンピュータ１３は、通信ケーブル４に直接に接続され、ソース機器２と直接にＣＥＣ通信等を実行してもよい。
【００２０】
シンク電源回路１４は、たとえば商用電源に接続され、商用の交流電圧を直流電圧へ変換し、電子部品へ供給する。
なお、シンク電源回路１４は、バッテリを有し、バッテリの蓄電電力を電子部品へ供給してもよい。
そして、シンク電源回路１４は、シンク機器３のシンクＲｘＩＣ１２以外の電子部品、ここではシンクマイクロコンピュータ１３に電力を供給する。
このように、本実施形態では、シンクＲｘＩＣ１２は、シンク電源回路１４に接続されない。
シンクＲｘＩＣ１２は、シンク接続部１１の「＋５Ｖ  Ｐｏｗｅｒピン」に接続される。
シンクＲｘＩＣ１２は、シンク接続部１１を通じてソース機器２から供給される＋５Ｖの電圧で動作する。
【００２１】
ソース機器２は、ソース接続部２１、ソースＴｘＩＣ（ＨＤＭＩ送信側集積回路）２２、ソースマイクロコンピュータ２３、ソース電源回路２４を有する。
これらソース側の各部品は、ＨＤＭＩの通信のためのものであるため、シンク機器３の対応する名称の部品と対応する機能を有する。また、ソース側の複数の部品は、シンク機器３の部品と同様に接続される。このため、ソース機器２の各部品についての詳しい説明は省略し、シンク機器３の各部品の説明で代用する。
ただし、ＨＤＭＩにおいて、シンクＲｘＩＣ１２は、たとえばシンク機器３内にあるＩＣであって、ＴＤＭＳ通信の受信側のＩＣを意味する。これに対し、ソースＴｘＩＣ２２は、たとえばソース機器２内にあるＩＣであって、ＴＤＭＳ通信の送信側のＩＣを意味する。また、本実施形態のシンクＲｘＩＣ１２およびソースＴｘＩＣ２２は、ＣＥＣ通信機能を有する。
そして、ソースＴｘＩＣ２２は、ソース機器２内のソース電源回路２４に接続される。
【００２２】
図２は、図１の再生システム１の電力供給処理を示すフローチャートである。
図２では、上から下へ向かって時間が経過する。
図２には、ＨＤＭＩの通信ケーブル４により接続された１組のソース機器２とシンク機器３とが図示されている。また、シンク機器３の構成要素として、シンクマイクロコンピュータ１３、シンクＲｘＩＣ１２、シンク電源回路１４が図示されている。
なお、図２の処理のためのプログラムは、たとえばシンクマイクロコンピュータ１３の内蔵メモリなどに記憶されていればよい。このプログラムは、ＣＤ−ＲＯＭ（Ｃｏｍｐａｃｔ  Ｄｉｓｃ  Ｒｅａｄ  Ｏｎｌｙ  Ｍｅｍｏｒｙ）などのコンピュータ読取可能な記録媒体に記録されたものを、内蔵メモリなどに記憶させたものでよい。
【００２３】
図２の再生システム１では、まず、ソース機器２とシンク機器３とがＨＤＭＩの通信ケーブル４により接続される。
シンク機器３の電源が投入されると、シンク電源回路１４は、シンク機器３のシンクＲｘＩＣ１２以外の電子部品である、シンクマイクロコンピュータ１３に電力を供給する。
ソース機器２の電源が投入されると、ソース電源回路２４は、ソースＴｘＩＣ２２、ソースマイクロコンピュータ２３などの複数の電子部品に電力を供給する。
また、ソース電源回路２４は、ＨＤＭＩの通信ケーブル４に、＋５Ｖ信号を出力する。この＋５Ｖ信号は、ＨＤＭＩの接続検出信号とシンクＲｘＩＣ１２の動作用電力として機能する（ステップＳＴ１）。
シンクＲｘＩＣ１２は、通信ケーブル４およびシンク接続部１１を通じて、＋５Ｖ信号により、ソース電源回路２４から給電される。シンクＲｘＩＣ１２は、動作を開始し、起動処理を実行する（ステップＳＴ２）。
【００２４】
これにより、シンク機器３において、シンクＲｘＩＣ１２が、ＨＤＭＩによる通信が可能な状態になる。
シンク機器３とソース機器２とは、互いに通信可能な状態になる。
通信可能になった後、シンクＲｘＩＣ１２は、ソース機器２が送信したたとえばＴＭＤＳ信号を受信する。シンクマイクロコンピュータ１３は、受信したＴＭＤＳ信号に含まれるたとえば映像データまたは音声データをデコードし、表示デバイスまたはスピーカへ出力する。これにより、ソース機器２の映像または音声のコンテンツが、シンク機器３において再生される。
【００２５】
以上のように、本実施形態では、シンクＲｘＩＣ１２は、シンク接続部１１を通じてソース機器２から給電されるＨＤＭＩの＋５Ｖ信号を電源として動作する。
シンクＲｘＩＣ１２は、シンク機器３の電力を不要に消費しない。
シンクＲｘＩＣ１２は、たとえばソース機器２が接続されていない場合のように、通信が不能または不要である場合には、電力が供給されないので、電力を不要に消費しない。
【００２６】
また、本実施形態では、通信ケーブル４を通じてソース機器２からシンクＲｘＩＣ１２へ直接電力が供給される。
このため、シンクＲｘＩＣ１２の起動を制御するために、通信ケーブル４の信号を監視したり、所定の通信処理を実行したりする必要が無い。たとえば、通信ケーブル４の通信ラインを用いて電源の要求情報を通信相手へ送信したり、その応答を受信したりする、一連の起動制御が不要である。また、通信ケーブル４の電源供給ラインの切替回路などの追加部品、一般的なＨＤＭＩ規格に基づく構成では不要な追加部品が不要である。
また、特段の制御をすることなく、シンクＲｘＩＣ１２を停止している状態から起動し、通信可能な状態まで遷移させることができる。
【００２７】
また、本実施形態のシンクＲｘＩＣ１２は、通信ケーブル４を介したソース機器２からの給電により、起動する。
シンクＲｘＩＣ１２がシンク機器３の電力を不要に消費することがないようにするための制御が不要である。
【００２８】
このように、本実施形態は、ソース機器２とシンク機器３との間でのコマンド通信や通信状態を監視して制御する場合に比べて、接続された相手から供給される電力をそのまま使用するシンプルな構成になっている。また、特段の処理または回路を追加で必要としないため、追加コストなどをかけずに、消費電力を抑えることができる。
【００２９】
［第１比較例］
第１比較例では、ＨＤＭＩ規格に基づく一般的なソース機器２およびシンク機器３について説明する。
図３は、第１比較例に係る電子機器としてのシンク機器３を含む、再生システム１の接続関係を示す概略構成図である。
ソース機器２と、シンク機器３とは、ＨＤＭＩケーブル４により直接に接続される。
各構成要素および接続関係は、第１実施形態の構成要素に対応するため、説明を省略する。
ただし、シンクＲｘＩＣ１２は、シンク電源回路１４に接続され、シンク電源回路１４から給電される電力で動作する。
【００３０】
図４は、図３の再生システム１の電力供給処理を示すフローチャートである。
図４は、図２に対応する。
図３の再生システム１では、まず、ソース機器２とシンク機器３とがＨＤＭＩの通信ケーブル４により接続される。
シンク機器３の電源が投入されると、シンク電源回路１４は、シンクマイクロコンピュータ１３とともに、シンクＲｘＩＣ１２へ電力を供給する（ステップＳＴ１１）。
シンクＲｘＩＣ１２は、起動処理を実行し（ステップＳＴ１２）、待機状態になる（ステップＳＴ１３）。
ソース機器２の電源が投入されると、ソース電源回路２４は、ソースＴｘＩＣ２２、ソースマイクロコンピュータ２３などの複数の電子部品に電力を供給する。
また、ソース電源回路２４は、ＨＤＭＩの通信ケーブル４に、＋５Ｖ信号を出力する。この＋５Ｖ信号は、ＨＤＭＩの接続検出信号として機能する（ステップＳＴ１４）。
シンクＲｘＩＣ１２は、通信ケーブル４およびシンク接続部１１を通じて、＋５Ｖ信号を検出する。
これにより、シンク機器３とソース機器２とは、互いに通信可能な状態になる。
通信可能になった後、シンクＲｘＩＣ１２は、ソース機器２が送信した信号を受信する。シンクマイクロコンピュータ１３は、受信信号に含まれるたとえば映像データまたは音声データをデコードし、表示デバイスまたはスピーカへ出力する。これにより、ソース機器２の映像または音声のコンテンツが、シンク機器３において再生される。
【００３１】
以上のように、本比較例のシンクＲｘＩＣ１２は、シンク機器３のシンク電源回路１４から供給される電力を使用して、起動し、動作する。また、起動した状態で、ソース機器２との接続を待つ。
このように、本比較例のシンクＲｘＩＣ１２は、通信不要時にも待機状態に維持され、シンク電源回路１４の電力を不要に消費する。
【００３２】
［第２比較例］
第２比較例では、ＨＤＭＩ規格に基づく他の一般的なソース機器２およびシンク機器３について説明する。
図５は、第２比較例に係る電子機器としてのシンク機器３を含む、再生システム１の接続関係を示す概略構成図である。
ソース機器２と、シンク機器３とは、ＨＤＭＩケーブル４により直接に接続される。
各構成要素および接続関係は、第１実施形態の構成要素に対応するため、説明を省略する。
ただし、シンクＲｘＩＣ１２は、第１比較例と同様にシンク電源回路１４に接続され、シンク電源回路１４から給電される電力で動作する。
また、シンクマイクロコンピュータ１３は、通信ケーブル４に接続され、ＨＤＭＩの＋５Ｖ信号を検出する。シンクマイクロコンピュータ１３は、シンク電源回路１４からシンクＲｘＩＣ１２への給電を制御する。
【００３３】
図６は、図５の再生システム１の電力供給処理を示すフローチャートである。
図６は、図２に対応する。
図５の再生システム１では、まず、ソース機器２とシンク機器３とがＨＤＭＩの通信ケーブル４により接続される。
シンク機器３の電源が投入されると、シンク電源回路１４は、シンクマイクロコンピュータ１３に電力を供給する。
ソース機器２の電源が投入されると、ソース電源回路２４は、ソースＴｘＩＣ２２、ソースマイクロコンピュータ２３などの複数の電子部品に電力を供給する。
また、ソース電源回路２４は、ＨＤＭＩの通信ケーブル４に、＋５Ｖ信号を出力する。この＋５Ｖ信号は、ＨＤＭＩの接続検出信号として機能する（ステップＳＴ２１）。
シンクマイクロコンピュータ１３は、この＋５Ｖ信号を検出し、ソース側機器が接続されたと判断する。
シンクマイクロコンピュータ１３は、シンク電源回路１４への起動要求信号により、シンクＲｘＩＣ１２への給電を指示する（ステップＳＴ２２）。
シンク電源回路１４は、シンクＲｘＩＣ１２への給電を開始する（ステップＳＴ２３）。
給電されたシンクＲｘＩＣ１２は、起動処理を実行し（ステップＳＴ２４）、待機状態となる。
これにより、シンク機器３とソース機器２とは、互いに通信可能な状態になる。
【００３４】
以上のように、本比較例では、＋５Ｖ信号によりソース機器２の接続を検出したシンクマイクロコンピュータ１３による起動処理により、シンク電源回路１４からシンクＲｘＩＣ１２への給電が開始される。
このように、本比較例のシンクＲｘＩＣ１２は、通信必要時にシンクマイクロコンピュータ１３により起動されるので、通信不要時にも起動される第１比較例と比べて、シンク電源回路１４の電力を不要に消費しない。しかしながら、本比較例のシンクＲｘＩＣ１２は、シンク電源回路１４の電力で動作しており、シンク電源回路１４の電力を消費する。
しかも、シンクＲｘＩＣ１２を起動させるために、シンクマイクロコンピュータ１３の起動処理が必要になる。
本比較例では、ソース機器２の接続を検出してからシンクＲｘＩＣ１２への給電を開始するため、第１比較例と比べてシンク電源回路１４の電力消費を改善できる。
しかしながら、シンクＲｘＩＣ１２は、シンク電源回路１４の電力を利用して動作する。このため、通信が不要な場合であっても、シンクＲｘＩＣ１２によるシンク電源回路１４の電力消費が必ず継続的に発生する。
【００３５】
［第２実施形態］
上述した第１実施形態では、シンクＲｘＩＣ１２は、通信ケーブル４の＋５Ｖ電源端子に直接接続されている。
ＨＤＭＩの仕様では、この＋５Ｖ電源端子に流すことが可能な電流は、５５ｍＡ〜５００ｍＡの範囲内に制限されている。このため、第１実施形態のシンクＲｘＩＣ１２の消費電力は、５００ｍＡ以下であることが必要になる。ＨＤＭＩのシンクＲｘＩＣ１２の消費電力は、製造プロセスや通信速度などに応じて異なるが、５００ｍＡを超えるものもある。
本実施形態では、このようなＨＤＭＩの＋５Ｖ電源端子の仕様を超える消費電力のシンクＲｘＩＣ１２を、ソース機器２から供給される電力で動作させることができる再生システム１について説明する。
【００３６】
図７は、第２実施形態に係る電子機器としてのシンク機器３を含む、再生システム１の接続関係を示す概略構成図である。
ソース機器２と、シンク機器３とは、ＨＤＭＩケーブル４により直接に接続されている。
シンク機器３は、シンク接続部１１、シンクＲｘＩＣ１２、シンクマイクロコンピュータ１３、シンク電源回路１４、切替回路１５を有する。
【００３７】
切替回路１５は、二入力端子かつ一出力端子の切替回路である。切替回路１５は、シンクマイクロコンピュータ１３に接続され、シンクマイクロコンピュータ１３の制御信号により、二つの入力端子の一方を選択し、出力端子に内部接続する。
そして、切替回路１５の一方の入力端子は、シンク接続部１１の＋５Ｖ信号の接続端子に接続される。他方の出力端子は、シンク電源回路１４に接続される。出力端子は、シンクＲｘＩＣ１２に接続される。
また、シンク接続部１１の＋５Ｖ信号の接続端子は、接続検出線１６により、シンクマイクロコンピュータ１３に接続される。
これ以外のシンク機器３およびソース機器２の構成要素および接続関係は、第１実施形態のものに対応するため、説明を省略する。
【００３８】
図８は、図７の再生システム１の電力供給処理を示すフローチャートである。
図８は、図２に対応する。
図７の再生システム１では、まず、ソース機器２とシンク機器３とがＨＤＭＩの通信ケーブル４により接続される。
シンク機器３の電源が投入されると、シンク電源回路１４は、シンクマイクロコンピュータ１３に電力を供給する。
シンクマイクロコンピュータ１３は、切替回路１５を初期設定する（ステップＳＴ３１）。
この初期設定では、切替回路１５は、シンク電源回路１４を選択する。
【００３９】
ソース機器２の電源が投入されると、ソース電源回路２４は、ソースＴｘＩＣ２２、ソースマイクロコンピュータ２３などの複数の電子部品に電力を供給する。
また、ソース電源回路２４は、ＨＤＭＩの通信ケーブル４に、＋５Ｖ信号を出力する（ステップＳＴ３２）。
この＋５Ｖ信号は、ＨＤＭＩの接続検出信号として機能する。
【００４０】
シンクマイクロコンピュータ１３は、通信ケーブル４の＋５Ｖ信号を検出し、ソース側機器が接続されたと判断する。
シンクマイクロコンピュータ１３は、シンク電源回路１４へ、起動要求信号により、シンクＲｘＩＣ１２への給電を指示する（ステップＳＴ３３）。
シンク電源回路１４は、シンクＲｘＩＣ１２への給電を開始する（ステップＳＴ３４）。
給電されたシンクＲｘＩＣ１２は、起動処理を実行する（ステップＳＴ３５）。
【００４１】
起動したシンクＲｘＩＣ１２は、ＣＥＣ通信により、ソース機器２のソースＴｘＩＣ２２との間で給電のための認証処理を実行する（ステップＳＴ３６）。
認証要求には、たとえばシンクＲｘＩＣ１２の消費電力情報が含まれる。
ソース機器２のソースＴｘＩＣ２２は、認証要求を取得すると、供給可否を判断し、判断結果を送信する。
また、ソースＴｘＩＣ２２は、供給可能である場合には必要に応じて、ソース電源回路２４へ＋５Ｖでの供給電力を増減させる。
なお、この認証処理は、ソースマイクロコンピュータ２３が実行してもよい。
【００４２】
シンクＲｘＩＣ１２は、電力供給可能を示す認証信号を受信すると、認証ＯＫを意味する認証完了信号を、シンクマイクロコンピュータ１３へ出力する（ステップＳＴ３７）。
シンクマイクロコンピュータ１３は、切替回路の変更を要求する信号を、切替回路１５へ出力する（ステップＳＴ３８）。
切替回路１５は、シンク接続部１１の＋５Ｖ信号の接続検出線１６を選択する。
これにより、起動状態にあるシンクＲｘＩＣ１２は、シンク電源回路１４から切り離され（ステップＳＴ３９）、ソース機器２から供給される電力により動作を継続する（ステップＳＴ４０）。
以上の制御により、シンク機器３とソース機器２とは、シンクＲｘＩＣ１２がソース電源回路２４から給電された状態で、互いに通信可能な状態になる。
【００４３】
なお、ソース電源回路２４からシンクＲｘＩＣ１２への給電が不可である場合、ソースＴｘＩＣ２２は、認証要求を取得した後、供給不可の判断結果を送信する。
供給不可の認証信号を受信した場合、シンクＲｘＩＣ１２は、シンクマイクロコンピュータ１３への認証完了信号の出力を中止する。その結果、シンクマイクロコンピュータ１３が切替回路１５へ切替信号を出力することはない。切替回路１５は、シンク電源回路１４を選択した状態に維持される。
これにより、起動状態にあるシンクＲｘＩＣ１２は、シンク電源回路１４から供給される電力により動作を継続する。
【００４４】
以上のように、本実施形態では、シンクマイクロコンピュータ１３がソース機器２から供給される電力を検出すると、供給可否の認証後に切替回路１５を切り替えて、該電力をシンクＲｘＩＣ１２へ供給する。
よって、シンクＲｘＩＣ１２は、シンクマイクロコンピュータ１３により電力供給が検出された後は、通信ケーブル４を通じてソース機器２から供給される電力により動作する。
シンクＲｘＩＣ１２は、通信可能な状態において、シンク機器３の電力を消費しない。
【００４５】
また、本実施形態では、切替回路１５は、シンクマイクロコンピュータ１３がソース機器２から供給される電力を検出した場合に切り替えられる。
また、本実施形態では、切替回路１５が、シンク接続部１１およびシンク電源回路１４とシンクＲｘＩＣ１２との間に接続される。
そして、シンクＲｘＩＣ１２は、ソース機器２とのＣＥＣ通信により、動作に必要な電圧・電流値情報を送受し、シンクマイクロコンピュータ１３は、ソース機器２の認証を得た場合にのみ、切替回路１５を切り替える。
よって、ソース機器２から電力が給電されない場合、またはソース機器２の先に給電可能なソース機器２が接続されていない場合に不用意に切り替わって、シンクＲｘＩＣ１２の動作が停止してしまうこともない。
【００４６】
また、本実施形態では、ＨＤＭＩでのＣＥＣ通信によりソース機器２とシンク機器３との間の認証処理を実行している。
ＨＤＭＩに基づく通信処理を実行するソース機器２およびシンク機器３のうちで、その一部のソース機器２とシンク機器３とが本実施形態の認証処理に対応していれば、不要な切替動作によりシンクＲｘＩＣ１２の動作を停止させることがないようにできる。
また、通信ケーブル４に、電力供給の認証処理に対応していないソース機器２が接続されている場合でも、不用意にシンクＲｘＩＣ１２の給電が切り替えられて、シンクＲｘＩＣ１２が起動後に無給電停止状態に至らないようにできる。
【００４７】
［第３実施形態］
上述した第２実施形態では、ＨＤＭＩの＋５Ｖ信号の規格に対応するために、シンクＲｘＩＣ１２がＣＥＣ通信による認証処理を実行する。
このＣＥＣ通信による認証処理は、シンクマイクロコンピュータ１３が実行してもよい。
【００４８】
図９は、第３実施形態に係る電子機器としてのシンク機器３を含む、再生システム１の接続関係を示す概略構成図である。
ソース機器２と、シンク機器３とは、ＨＤＭＩケーブル４により直接に接続される。
シンク機器３は、シンク接続部１１、シンクＲｘＩＣ１２、シンクマイクロコンピュータ１３、シンク電源回路１４、切替回路１５を有する。
【００４９】
切替回路１５は、二入力端子かつ一出力端子の切替回路である。切替回路１５は、シンクマイクロコンピュータ１３に接続され、シンクマイクロコンピュータ１３の制御信号により、二つの入力端子の一方を選択し、出力端子に内部接続する。
そして、切替回路１５の一方の入力端子は、シンク接続部１１の＋５Ｖ信号の接続端子に接続される。他方の入力端子は、シンク電源回路１４に接続される。出力端子は、シンクＲｘＩＣ１２に接続される。
また、シンクマイクロコンピュータ１３は、シンク接続部１１に対して、＋５Ｖ信号の接続端子への接続検出線１６と、ＣＥＣ通信用の信号線１７とにより接続される。
これ以外のシンク機器３およびソース機器２の構成要素および接続関係は、第２実施形態のものに対応するため、説明を省略する。
【００５０】
図１０は、図９の再生システム１の電力供給処理を示すフローチャートである。
図９の再生システム１では、まず、ソース機器２とシンク機器３とがＨＤＭＩの通信ケーブル４により接続される。
シンク機器３の電源が投入されると、シンク電源回路１４は、シンクマイクロコンピュータ１３に電力を供給する。
シンクマイクロコンピュータ１３は、切替回路１５を初期設定する（ステップＳＴ４１）。
この初期設定では、切替回路１５は、シンク電源回路１４を選択する。
【００５１】
ソース機器２の電源が投入されると、ソース電源回路２４は、ソースＴｘＩＣ２２、ソースマイクロコンピュータ２３などの複数の電子部品に電力を供給する。
また、ソース電源回路２４は、ＨＤＭＩの通信ケーブル４に、＋５Ｖ信号を出力する（ステップＳＴ４２）。
この＋５Ｖ信号は、ＨＤＭＩの接続検出信号として機能する。
【００５２】
シンクマイクロコンピュータ１３は、この＋５Ｖ信号を検出し、ソース側機器が接続されたと判断する。
シンクマイクロコンピュータ１３は、ＣＥＣ通信により、ソース機器２との間で給電のための認証処理を実行する（ステップＳＴ４３）。
認証要求には、たとえばシンクＲｘＩＣ１２の消費電力情報が含まれる。
ソース機器２のたとえばソースマイクロコンピュータ２３は、認証要求を取得すると、供給可否を判断し、判断結果を送信する。
また、ソースマイクロコンピュータ２３は、供給可能である場合には必要に応じて、ソース電源回路２４へ＋５Ｖでの供給電力を増減させる。
【００５３】
電力供給可能を示す認証信号を受信すると、シンクマイクロコンピュータ１３は、切替回路の変更を要求する信号を、切替回路１５へ出力する（ステップＳＴ４４）。
切替回路１５は、シンク接続部１１の＋５Ｖ信号の接続検出線１６を選択する。
ソース機器２からのシンクＲｘＩＣ１２への給電が開始される（ステップＳＴ４５）。
給電されたシンクＲｘＩＣ１２は、起動処理を実行する（ステップＳＴ４６）。
これにより、シンクＲｘＩＣ１２は、通信可能になる。シンク機器３とソース機器２とは、シンクＲｘＩＣ１２がソース電源回路２４から給電された状態で、互いに通信可能な状態になる。
【００５４】
なお、ソース電源回路２４からシンクＲｘＩＣ１２への給電が不可である場合、ソースマイクロコンピュータ２３は、認証要求を取得すると、供給不可の判断結果を送信する。
供給不可の認証信号を受信すると、シンクマイクロコンピュータ１３は、切替回路１５へ切替要求信号を出力しない。換わりに、シンクマイクロコンピュータ１３は、シンク電源回路１４に、シンクＲｘＩＣ１２への給電開始を指示する（ステップＳＴ４７）。
シンク電源回路１４は、シンクＲｘＩＣ１２へ給電する（ステップＳＴ４８）。
これにより、シンクＲｘＩＣ１２は、動作を開始する。シンクＲｘＩＣ１２は、起動処理を実行する（ステップＳＴ４９）。
シンク機器３とソース機器２とは、シンクＲｘＩＣ１２がシンク電源回路１４から給電された状態で、互いに通信可能な状態になる。
【００５５】
以上のように、本実施形態では、ソース機器２が接続され、さらにシンクマイクロコンピュータ１３によりソース機器２の認証が得られた場合に、ソース機器２から供給される電力がシンクＲｘＩＣ１２へ給電される。これにより、シンクＲｘＩＣ１２が起動される。
よって、ソース機器２が接続され、実際にソース機器２からの給電が可能である場合にのみ、シンクＲｘＩＣ１２に対する、ソース機器２からの給電を開始するようにできる。
ソース機器２から電力が給電されない場合、または給電可能なソース機器２が接続されていない場合に、シンクＲｘＩＣ１２への給電がソース機器２からなされるように切り替えられてしまうことがないようにできる。シンクＲｘＩＣ１２が無給電停止してしまうことが生じないようにできる。
しかも、給電可能なソース機器２との間での給電可否の認証処理自体は、シンクマイクロコンピュータ１３が実行する。よって、シンクＲｘＩＣ１２には、認証処理を実行しないものを使用できる。認証処理を実行するものと比べて、シンクＲｘＩＣ１２を簡素化できる。
【００５６】
［第４実施形態］
上記実施形態では、電源の送り側と受け側であるソース機器２とシンク機器３との２つのＡＶ（Ａｕｄｉｏ  Ｖｉｓｕａｌ）機器が通信ケーブル４により直接に接続されている。
この他にもたとえば、ＨＤＭＩ規格では、ソース機器２またはシンク機器３以外のＡＶ機器を接続したり、複数の通信ケーブル４により３個以上のＡＶ機器を接続したりできる。
このように３個以上のＡＶ機器が複数の通信ケーブル４により接続される場合、電力供給を受けようとするＡＶ機器が、電力を供給可能なＡＶ機器に直接に接続されないことがある。
ＨＤＭＩ規格では、ＨＤＭＩの通信ケーブル４の＋５Ｖ電圧を、各ＡＶ機器でパススルーするように規定されていない。よって、たとえば電力供給を受けようとするＡＶ機器が、電力を供給可能なＡＶ機器との間に、第３のＡＶ機器が接続されている場合、電力供給を受けようとするＡＶ機器は、電力を供給可能なＡＶ機器が電力供給を開始しても、その電力供給を受けることができない。
【００５７】
図１１は、ＡＶシステム１における、複数のＡＶ機器の接続例の説明図である。
図１１（Ａ）のＡＶシステム１では、ソース機器２とシンク機器３との２つのＡＶ機器が通信ケーブル４により直接に接続されている。
図１１（Ｂ）のＡＶシステム１では、ソース機器２とシンク機器３との２つのＡＶ機器が通信ケーブル４により直接に接続されている。また、シンク機器３には、ソース機器２と並列に、第３のＡＶ機器５が接続されている。
図１１（Ｃ）のＡＶシステム１では、ソース機器２とシンク機器３との間に、給電機能を持たないＡＶアンプ６が接続されている。
図１１（Ｄ）のＡＶシステム１では、ソース機器２とシンク機器３との間に、給電機能を持つＡＶアンプ７が接続されている。
【００５８】
そして、電源の送り側のＡＶ機器がソース機器２であり、受け側がシンク機器３であるとする。
この場合、図１１（Ａ）または（Ｂ）のＡＶシステム１では、ソース機器２とシンク機器３との間で、上述した第２実施形態または第３実施形態の認証処理を実行することにより、電源の送り側であるソース機器２から、電力の受け側であるシンク機器３への電力供給が可能になる。
これに対し、図１１（Ｃ）の場合、電源の送り側であるソース機器２と、電力の受け側であるシンク機器３との間にＡＶアンプ６が接続されている。この場合、ソース機器２とシンク機器３との間で、上述した第２実施形態または第３実施形態での認証処理を実行しても、電源の送り側であるソース機器２から供給される電力は、ＡＶアンプ６までしか供給されない。電力の受け側であるシンク機器３は、ソース機器２から電力の供給を受けることができない。
なお、図１１（Ｄ）の場合のように、電源の供給側がソース機器２ではなくＡＶアンプ７である場合、このＡＶアンプ７とシンク機器３との間で、上述した第２実施形態または第３実施形態での認証処理を実行することにより、電源の送り側であるＡＶアンプ７から、電力の受け側であるシンク機器３へ電力供給が可能になる。
【００５９】
このようにＨＤＭＩにより複数のＡＶ機器を接続したＡＶシステム１では、電力供給を受けようとするＡＶ機器は、電力供給可能なＡＶ機器が接続されていることだけでなく、該電力供給可能なＡＶ機器が直接に接続されているか否かを確認する必要がある。
具体的には、たとえば図１１（Ｃ）の接続の場合、ソース機器２のソースマイクロコンピュータ２３またはソースＴｘＩＣ２２は、シンク機器３からの認証要求を取得すると、シンク機器３から、その物理アドレスを取得する。
ＨＤＭＩ規格では、各ＡＶ機器は、たとえばシンク機器３を基準とした接続位置に応じた固有の物理アドレスを取得する。たとえば、図１１（Ｃ）の例では、シンク機器３の物理アドレスは「０．０．０．０」であり、ＡＶアンプ６の物理アドレスは「１．０．０．０」であり、ソース機器２の物理アドレスは「１．１．０．０」となる。
【００６０】
電源供給を受けたいシンク機器３の物理アドレスを取得した後、ソース機器２のソースマイクロコンピュータ２３またはソースＴｘＩＣ２２は、取得した物理アドレスと自己の物理アドレスとを比較し、電源供給を受けたいシンク機器３が直接接続された隣り合うＡＶ機器であるか否かを判断する。
たとえば電力供給元のソース機器２は、たとえば取得したシンク機器３の物理アドレスと自己の物理アドレスとの相違桁数が１個であるか否かにを判断する。そして、相違桁数が１個である場合、直接に接続されていると判断する。これに対し、相違桁数が複数個である場合、直接に接続されていないと判断する。
図１１（Ｃ）の場合、ソース機器２は、シンク機器３の物理アドレス「０．０．０．０」と自己の物理アドレス「１．１．０．０」との比較により、直接に接続されていないと判断する。
また、図１１（Ａ）、（Ｂ）および（Ｄ）の場合、ソース機器２は、シンク機器３の物理アドレス「０．０．０．０」と自己の物理アドレス「１．０．０．０」との比較により、直接に接続されていると判断する。
【００６１】
電力要求元のたとえばシンク機器３が直接に接続されていると判断すると、ソース機器２のソースマイクロコンピュータ２３またはソースＴｘＩＣ２２は、認証ＯＫを返す。
これに対し、電力要求元のたとえばシンク機器３が直接に接続されていないと判断すると、ソース機器２のソースマイクロコンピュータ２３またはソースＴｘＩＣ２２は、十分な電力供給能力があるとしても、認証ＮＧを返す。
【００６２】
以上の処理により、本実施形態では、電力供給可能なＡＶ機器は、電源供給を受けたいＡＶ機器がＨＤＭＩの通信ケーブル４により直接に接続されている場合にのみ、認証ＯＫとし、電力供給を開始する。
これにより、電力供給可能なＡＶ機器と、電源供給を受けたいＡＶ機器とが、ＨＤＭＩの通信ケーブル４により直接に接続されていない場合において、ＣＥＣ通信での電力供給の認証がＯＫとなり、電源供給を受けたいＡＶ機器のシンクＲｘＩＣ１２への電力供給が停止または中断されてしまう、という事態の発生を防止できる。
【００６３】
なお、上述した直接接続についての認証処理は、シンク機器３よりソース機器２へ、電力供給の認証要求を行っている。また、ソース機器２は、要求元のシンク機器３の物理アドレスを確認し該機器が直接接続されているか、または相手機器への電力供給が可能か、を判断し、それらの判断結果に応じた認証結果を返している。
この他にもたとえば、シンク機器３は、物理アドレスから直接接続されているソース機器２を調査し、直接接続されているソース機器２に対してのみ、電力供給の認証要求を行ってもよい。この場合、ソース機器２は、たとえば、要求元のシンク機器３への電力供給が可能か否かを判断し、その判断結果に応じた認証結果を返せばよい。
この変形例の場合、複数のＡＶ機器が接続されている場合において、直接接続されていないＡＶ機器２との間で認証処理を実行しなくなり、不要な通信を減らすことができる。
【００６４】
以上の実施形態は、本発明の好適な実施形態の例であるが、本発明は、これに限定されるものではなく、発明の要旨を逸脱しない範囲において種々の変形または変更が可能である。
【００６５】
たとえば第２実施形態または第３実施形態では、シンク機器３は、ソース機器２との給電可否の認証処理後に、ＨＤＭＩの＋５Ｖ信号の端子を、シンクＲｘＩＣ１２に接続する。
このほかにもたとえば、シンク機器３は、ソース機器２との給電可否の認証処理後に、ＨＤＭＩの他のリザーブ端子などを、シンクＲｘＩＣ１２に接続してもよい。
【００６６】
上記実施形態は、ＨＤＭＩ規格でのシンクＲｘＩＣ１２の給電を切り替える例を説明している。
さらに他にも、ＨＤＭＩ以外の規格、たとえばそれと同様のＤＶＩ規格の電子機器において、受信ＩＣまたは送信ＩＣの給電を切り替えてもよい。
【符号の説明】
【００６７】
１  再生システム
２  ソース機器（他の電子機器）
３  シンク機器（電子機器）
４  通信ケーブル
１１  シンク接続部（接続部）
１２  シンクＲｘＩＣ（通信回路）
１３  シンクマイクロコンピュータ（マイクロコンピュータ、電子部品）
１４  シンク電源回路（電源回路）
１５  切替回路
【図１】
2013157832.tif 000003
【図２】
2013157832.tif 000004
【図３】
2013157832.tif 000005
【図４】
2013157832.tif 000006
【図５】
2013157832.tif 000007
【図６】
2013157832.tif 000008
【図７】
2013157832.tif 000009
【図８】
2013157832.tif 000010
【図９】
2013157832.tif 000011
【図１０】
2013157832.tif 000012
【図１１】
2013157832.tif 000013